(57)【要約】【課題】従来のフロントパネルの移動の仕方は、エアーフィルタや熱交換器の掃除は容易になるが、送風機の通風抵抗を低減して送風性能を向上させることはできない。すなわち、フロントパネルが単純に下方向に移動すれば、吹き出し流れを阻止して大きな通風抵抗になり送風性能を著しく悪化させる。【解決手段】フロントパネルを移動し吸込口を開口させ、同時に吹き出し流れの抵抗にならないようにする。すなわち、運転時に空気の流通を確保して通風抵抗を低減して送風性能を向上させるとともに、運転停止時にもエアーフィルタが見える状態として、容易に取り外しができ、エアーフィルタの掃除が簡単にできる。また、エアーフィルタを取り外すと、熱交換器も見える状態になり容易に掃除ができるようになる空気調和機を提供する。【選択図】図２
2018080845.tif 000002
【特許請求の範囲】
【請求項１】
空気の吸込口と吹出口とを有し、前記吸込口から吸込んだ空気に含まれる塵埃を除去するエアーフィルタと、吸込んだ前記空気を熱交換する熱交換器と、空気を前記吸込口から吸込み吹出口から吹出す気流を発生させるファンと、ファンの下流に配置された前記吹出口に回動可能に設けられ、吹出す空気の上下方向を制御する上下風向変更羽根ならびに左右方向を制御する左右風向変更羽根、とが設けられた空気調和機において、前記吸込口にフロントパネルを有し、運転停止時には前記空気調和機の前面側の外観に沿うように配置され、運転時には前記フロントパネルが移動して前記吸込口が完全に開口するようにし、尚且つ、このとき前記フロントパネルは前記吹出口の開口部以外の場所に置かれることを特徴とする空気調和機。
【請求項２】
運転停止時且つ前記エアーフィルタを清掃するときに前記フロントパネルを、前記吸込口を完全に開口するように移動することを特徴とする請求項１に記載の空気調和機。
【請求項３】
前記フロントパネルは複数枚からなることを特徴とする請求項１〜２のいずれかに記載の空気調和機。
【請求項４】
前記フロントパネルを移動して、前記吸込口を完全に開口したとき、前記フロントパネルは前記吸込口と前記吹出口との間に位置されることを特徴とする請求項１〜３のいずれかに記載の空気調和機。
【請求項５】
前記フロントパネルを移動して、前記吸込口を完全に開口したとき、前記フロントパネルは前記吹出口よりも前記本体の背面側に位置されることを特徴とする請求項１〜３のいずれかに記載の空気調和機。
【発明の詳細な説明】
【技術分野】
【０００１】
本発明は、クロスフローファン等を有する送風路を搭載した空気調和機の室内ユニットに関するものである。
【背景技術】
【０００２】
従来、この種の空気調和機は筐体の前面部に被せる化粧カバーとその前面部を覆うフロントパネルと、前記フロントパネルの内側に着脱可能に配置したエアーフィルタと、その下流に熱交換器を備え、前記フロントパネルは下方に移動する構成を備えていた。
【０００３】
フロントパネル１７が化粧カバー本体４０の前面を閉じた状態にあるのが図８である。上下部リンク機構によって、フロントパネルが化粧カバーのほぼ垂直下方に移動できるようになっている。図６、図７は、フロントパネルが下方に移動した状態の斜視図ならびに断面図である。
【０００４】
このように、フロントパネルが下方に移動すると、エアーフィルタが全て見える状態にあり、エアーフィルタを容易に着脱できる。そのため、エアーフィルタを取り外して掃除ができる。またこのため、エアーフィルタの下流にある熱交換器を容易に掃除ができる。
【先行技術文献】
【特許文献】
【０００５】
【特許文献１】特開２００１−１８２９５７号公報
【発明の概要】
【発明が解決しようとする課題】
【０００６】
しかしながら、このような従来技術のフロントパネルの移動の仕方は空調機の運転を停止した状態を前提にしており、エアーフィルタや熱交換器の掃除は容易になるが、送風機の通風抵抗を低減して送風性能を向上させることはできない。すなわち、フロントパネルが単純に下方向に移動すれば、吹き出し流れを阻止して大きな通風抵抗になり送風性能を著しく悪化させる。
【０００７】
本発明は、上記従来の課題を解決するもので、フロントパネルを移動させて、吸込口を開口させて、同時に吹出し流れの抵抗に成らないようにする。すなわち、運転時に吸込口を確保して通風抵抗を低減して送風性能を向上させる。運転停止時にはエアーフィルタが見える状態になり容易に取り外しができ、エアーフィルタの掃除が簡単にできる。また、エアーフィルタを取り外すと、熱交換器も見える状態になり容易に掃除ができるようになる空気調和機を提供することを目的とする。
【課題を解決するための手段】
【０００８】
前記目的を達成するために、本発明に係る空気調和機は、空気の吸込口と吹出口とを有し、前記吸込口から吸込んだ空気に含まれる塵埃を除去するエアーフィルタと、吸込んだ前記空気を熱交換する熱交換器と、空気を前記吸込口から吸込み吹出口から吹出す気流を発生させるファンと、ファンの下流に配置された前記吹出口に回動可能に設けられ、吹出す空気の上下方向を制御する上下風向変更羽根ならびに左右方向を制御する左右風向変更羽根、とが設けられた空気調和機において、前記吸込口にフロントパネルを有し、運転停止時には前記空気調和機の前面側の外観に沿うように配置され、運転時には前記フロントパネルが移動して前記吸込口が完全に開口するようにし、尚且つ、このとき前記フロントパネルは前記吹出口の開口部以外の場所に置かれるものである。
【０００９】
この構成をなすことにより、運転時においては、吸込口においても吹出口においても通風抵抗を大きく低減することができ送風性能を向上することができる。
【発明の効果】
【００１０】
本発明の空気調和機は、運転時においては、通風抵抗を大きく低減することができ送風性能を向上することができる。また運転停止時には、エアーフィルタを容易に取り外して掃除することができる。
【図面の簡単な説明】
【００１１】
【図１】本発明の実施の形態１ならびに２における空気調和機の停止時の室内機の縦断面図
【図２】本発明の実施の形態１の空気調和機の運転時の室内機の縦断面図
【図３】本発明の実施の形態１の空気調和機の停止時の室内機の縦断面図
【図４】本発明の実施の形態２の空気調和機の運転時の室内機の縦断面図
【図５】本発明の実施の形態２の空気調和機の停止時の室内機の縦断面図
【図６】従来技術の空気調和機のエアーフィルタ清掃時の室内機の外観斜視図
【図７】図６の縦断面図
【図８】従来技術の空気調和機の運転時ならびに停止時の室内機の縦断面図
【発明を実施するための形態】
【００１２】
第１の発明は、空気の吸込口と吹出口とを有し、前記吸込口から吸込んだ空気に含まれる塵埃を除去するエアーフィルタと、吸込んだ前記空気を熱交換する熱交換器と、空気を前記吸込口から吸込み吹出口から吹出す気流を発生させるファンと、ファンの下流に配置された前記吹出口に回動可能に設けられ、吹出す空気の上下方向を制御する上下風向変更羽根ならびに左右方向を制御する左右風向変更羽根、とが設けられた空気調和機において、前記吸込口にフロントパネルを有し、運転停止時には前記空気調和機の前面側の外観に沿うように配置され、運転時には前記フロントパネルが移動して前記吸込口が完全に開口するようにし、尚且つ、このとき前記フロントパネルは前記吹出口の開口部以外の場所に置かれる構成とすることにより、運転時においては、吸込口においても吹出口においても通風抵抗を大きく低減することができ送風性能を向上し、冷暖房能力を向上することができる。
【００１３】
第２の発明は、特に第１の発明の運転停止時且つ前記エアーフィルタを清掃するときに前記フロントパネルを、前記吸込口を完全に開口するように移動する構成とすることにより、運転停止時には、エアーフィルタを容易に取り外して掃除することができる。さらに、エアーフィルタを取り外すことにより熱交換器を掃除し易くすることができる。
【００１４】
第３の発明は、特に第１〜２のいずれかの発明のフロントパネルを複数枚から構成することにより、フロントパネルの移動を速やかに行うことができる。
【００１５】
第４の発明は、特に第１〜３のいずれかの発明のフロントパネルを移動して、前記吸込口を完全に開口したとき、前記フロントパネルは前記吸込口と前記吹出口との間に位置する構成とすることにより、吸込口と吹出口との両方を同時に開口することができ、吸込口においても吹出口においても通風抵抗を大きく低減することができ送風性能を向上し、冷暖房能力を向上することができる。
【００１６】
第５の発明は、特に第１〜３のいずれかの発明のフロントパネルを移動して、前記吸込口を完全に開口したとき、前記フロントパネルは前記吹出口よりも前記本体の背面側に位置する構成とすることにより、吸込口と吹出口との両方を同時に開口することができ、吸
込口においても吹出口においても通風抵抗を大きく低減することができ送風性能を向上し、冷暖房能力を向上することができる。
【００１７】
以下、本発明の空気調和機に係る実施の形態について、添付の図面を参照しながら説明する。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００１８】
（実施の形態１）
図１は、本発明の実施の形態１ならびに２における空気調和機の停止時の室内機の縦断面図である。図２は、本発明の実施の形態１の空気調和機の運転時の室内機の縦断面図である。図３は、本発明の実施の形態１の空気調和機の停止時の室内機の縦断面図である。
【００１９】
図１、図２、図３に示すように、室内機１は、空気の吸込口となる前面開口部２ａと上面開口部２ｂ、および熱交換された空気を吹き出す吹出口２ｃとを有する本体２、及びフロントパネル１７を備えている。本体２の内部には、室内空気に含まれる塵埃を除去するためのエアーフィルタ５１と、取り入れた室内空気を熱交換する熱交換器４７と、前面開口部２ａ及び上面開口部２ｂからエアーフィルタ５１を通して取り入れた室内空気を熱交換器４７で熱交換して吹出口２ｃから室内に吹き出すための気流を発生させる貫流ファンであるファン４５が設けられている。また、室内機１の本体２において、ファン４５の下流側から吹出口２ｃの上流側に至る通風路１０は、ファン４５の下流側に配置されて空気の流れを案内するリアガイダ８と、このリアガイダ８に対向して配置されたスタビライザ９と、本体２の両側壁（図示せず）とで形成されている。
【００２０】
実施の形態１の空気調和機において熱交換した空気を室内に吹き出すための吹出口２ｃには、当該吹出口２ｃを開閉するとともに、空気の吹き出し方向を上下方向に変更することができる上下風向変更手段である上下風向変更羽根１１が設けられている。さらに、吹出口２ｃの内部及び上下風向変更羽根１１周りの空気の吹き出し方向を左右に変更することができる左右風向変更手段である左右風向変更羽根１２が設けられている。
【００２１】
図１に示すように、実施の形態１及び２の空気調和機における室内機の運転停止の状態は、フロントパネル１７及び上下風向変更羽根（吹き出しパネル）１１が筐体の外形ラインを規定するように配置される。
【００２２】
図２に示すように、運転の状態でフロントパネル１７がスライド移動して前面を開口して２ａの吸込口を形成できるように吹出口２ｃと前面開口部２ａとの間に移動する。このとき、上下風向変更羽根１１の作用を阻害することなく、また、吹き出し流れの抵抗にもならない。そのため、通風抵抗を減少させ送風性能を向上させることができる。
【００２３】
図３は、図２の状態から運転停止した状態である。フロントパネル１７が、吹出口２ｃと前面開口部２ａとの間にあり、吸込口が大きく開口されエアーフィルタが全部露出している。このため、開口部にあるエアーフィルタ５１を容易に清掃することができる。また、エアーフィルタ５１を容易に取り外しができるため、さらに内側にある熱交換器４７を簡単に清掃することができる。
【００２４】
（実施の形態２）
図４は、本発明の実施の形態２の空気調和機の運転時の室内機の縦断面図である。図５は、本発明の実施の形態２の空気調和機の停止時の室内機の縦断面図である。
【００２５】
実施の形態２は、フロントパネル１７を２分割以上に分けて構成し、吹出口よりも室内
機の背面側に移動可能に構成したものである。
【００２６】
図４に示すように、フロントパネルは移動して吹出口の風の流れの外に置かれるので、通風抵抗を上昇させることがない。
【００２７】
また、このように分割することにより、１個あたりが小さくなり移動が容易になる。また、分割することにより、重ね合わせができ小さなスペースに配置することができる。
【産業上の利用可能性】
【００２８】
本発明の空気調和機は、運転時においてフロントパネルを移動させて、吸込口の開口を確保するとともに、吹出口の開口も確保することにより通風抵抗を大きく低減することができる。この構成によって、空気風量を増大させ、熱交換器能力と送風性能の向上の効果を得る。さらに、運転停止時においてもエアーフィルタ清掃する場合に、フロントパネルが移動して吸込口が開口できるため、清掃が容易にできる。加えて、エアーフィルタが容易に取り外しができるため、内側の熱交換器の清掃も簡単にできる業務用及び一般家庭等で使用される空気調和機に有用である。
【符号の説明】
【００２９】
１  室内機
２  本体
２ａ  前面開口部
２ｂ  上面開口部
２ｃ  吹出口
８  リアガイダ
９  スタビライザ
１０  通風路
１１  上下風向変更羽根
１２  左右風向変更羽根
１７  フロントパネル
４５  ファン
４７  熱交換器
５１  エアーフィルタ
【図１】
2018080845.tif 000003
【図２】
2018080845.tif 000004
【図３】
2018080845.tif 000005
【図４】
2018080845.tif 000006
【図５】
2018080845.tif 000007
【図６】
2018080845.tif 000008
【図７】
2018080845.tif 000009
【図８】
2018080845.tif 000010